(57)【要約】  本開示の実施形態は、複数のインスタンスによるチャネル状態情報（ＣＳＩ）レポートの方法、デバイス及び装置に関する。本開示の実施形態において、方法は、ＣＳＩレポートのインスタンスと優先度がＣＳＩレポートのインスタンスより高い別のＣＳＩレポートとの衝突に応じて、ＣＳＩレポートのインスタンスを廃棄することを含み得る。方法はさらに、ＣＳＩレポートの全ての後続のインスタンスを破棄すること、ＣＳＩレポートのインスタンスの次の送信機会に、ＣＳＩレポートのインスタンスを再送し、新たなＣＳＩレポートまで、ＣＳＩレポートの後続のインスタンスを送信すること、ＣＳＩレポートの後続のインスタンスを送信することを継続すること、又は、ＣＳＩレポートのインスタンスを再送すること、のうちいずれかにより衝突を処理することを含み得る。本開示の実施形態により、高度ＣＳＩレポート時のオーバーヘッド削減のための複数のインスタンスＣＳＩレポートをサポートできる。【選択図】図５
2021531671.tif 000002
【特許請求の範囲】
【請求項１】
チャネル状態情報（ＣＳＩ：channel state information）レポートのインスタンスと、ＣＳＩレポートの前記インスタンスよりも優先度が高い他のＣＳＩレポートとの衝突に応じて、前記ＣＳＩレポートの前記インスタンスを廃棄することと、
前記ＣＳＩレポートの全ての後続のインスタンスを破棄すること、
前記ＣＳＩレポートのインスタンスのための、次の送信機会に、前記ＣＳＩレポートの前記インスタンスを再送し、新たなＣＳＩレポートまで、前記ＣＳＩレポートの後続のインスタンスを送信すること、
前記ＣＳＩレポートの後続のインスタンスの送信を継続すること、又は
前記ＣＳＩレポートの前記インスタンスのための送信機会に対する時間オフセットにより、前記ＣＳＩレポートの前記インスタンスを再送すること、
のうち、いずれかにより前記衝突を処理することと、を含む、
無線通信システムにおける複数のインスタンスによるＣＳＩレポーティングのための方法。
【請求項２】
帯域幅部分（ＢＷＰ：bandwidth part）切り替えの場合に、前記ＣＳＩレポートの第１インスタンスから、前記ＣＳＩレポートの送信を再開することをさらに含む、請求項１に記載の方法。
【請求項３】
複数のインスタンスによるＣＳＩレポーティングのアクティブ化又は非アクティブ化シグナリングを受信することをさらに含み、
前記アクティブ化又は非アクティブ化シグナリングは、前記ＣＳＩレポートの関連インスタンスに対して有効である、請求項１又は２に記載の方法。
【請求項４】
ＲＲＣシグナリングを介して、ＣＳＩレポートのインスタンス数の設定を受信することをさらに含み、
前記ＣＳＩレポートのインスタンス数の設定は、前記ＣＳＩレポートの関連インスタンスの数を示す、請求項３に記載の方法。
【請求項５】
ＲＲＣシグナリングを介して、前記ＣＳＩレポーティングの各インスタンスに対するリソース設定を受信すること、又は
前記ＣＳＩレポートのインスタンスに対し複数スロットのアップリンク送信を許可する下りリンク制御指示（ＤＣＩ：downlink control indication）を受信すること
のうち、いずれかをさらに含む、請求項１〜４のいずれか１項に記載の方法。
【請求項６】
前記ＣＳＩレポートのインスタンスに対するサブバンドセット設定を受信することをさらに含み、
前記サブバンドセット設定は、サブバンドセットのサイズ及び前記サブバンドセットに含まれるサブバンドのインデックスに関する情報を示す、請求項１〜５のいずれか１項に記載の方法。
【請求項７】
前記サブバンドセット設定、サブバンドビットマップ及び前記ＣＳＩレポートのインスタンス数に基づき、サブバンドセットを決定することをさらに含む、請求項６に記載の方法。
【請求項８】
チャネル状態に基づき、ＣＳＩレポートのインスタンスのために、少なくとも１つのサブバンド又はサブバンドセットを選択することと、
前記選択された少なくとも１つのサブバンド又はサブバンドセットに関するＣＳＩ情報を含む前記ＣＳＩレポートの前記インスタンスを送信することと、
をさらに含む、請求項１〜７のいずれか１項に記載の方法。
【請求項９】
２つのダウンリンクコードワードに対応する、ＣＳＩレポートの２つのインスタンスを送信することをさらに含み、
前記ＣＳＩレポートの前記２つのインスタンスの各々は、前記２つのダウンリンクコードワードのうちの対応する１つを送信するためのＣＳＩ部分を含む、請求項１〜８のいずれか１項に記載の方法。
【請求項１０】
前記２つのダウンリンクコードワードは、同一の送受信ポイント（ＴＲＰ：transmission / reception point）の異なるダウンリンクレイヤ、又は２つの異なるＴＲＰのうちのいずれかから受信される、請求項９に記載の方法。
【請求項１１】
チャネル状態情報（ＣＳＩ：channel state information）レポートのインスタンスが、前記ＣＳＩレポートの前記インスタンスより優先度が高い他のＣＳＩレポートと衝突する場合、
前記ＣＳＩレポートの前記インスタンス及び前記ＣＳＩレポートの全ての後続のインスタンスの両方を破棄すること、
前記ＣＳＩレポートのインスタンスの次の送信機会において、前記ＣＳＩレポートの前記インスタンスの再送を受信し、新たなＣＳＩレポートまで、前記ＣＳＩレポートの後続のインスタンスを受信すること、
前記ＣＳＩレポートの前記インスタンスを破棄し、前記ＣＳＩレポートの後続のインスタンスを受信すること、又は
前記ＣＳＩレポートの前記インスタンスのための送信機会に対する時間オフセットにより、前記ＣＳＩレポートの前記インスタンスの再送を受信すること、
のうち、いずれかにより、前記ＣＳＩレポートの受信を実行することを含む、
無線通信システムにおいて複数のインスタンスによるＣＳＩレポートを受信するための方法。
【請求項１２】
帯域幅部分（ＢＷＰ：bandwidth part）切り替えの場合に、前記ＣＳＩレポートの第１インスタンスから、前記ＣＳＩレポートの受信を再開することをさらに含む、請求項１１に記載の方法。
【請求項１３】
複数のインスタンスによるＣＳＩレポーティングに対するアクティブ化又は非アクティブ化シグナリングを送信することをさらに含み、
前記アクティブ化又は非アクティブ化シグナリングは、前記ＣＳＩレポートの関連インスタンスに対して有効である、請求項１１又は１２に記載の方法。
【請求項１４】
ＲＲＣシグナリングを介して、ＣＳＩレポートのインスタンス数の設定を送信することをさらに含み、
前記ＣＳＩレポートのインスタンス数の設定は、前記ＣＳＩレポートの関連インスタンスの数を示す、請求項１３に記載の方法。
【請求項１５】
ＲＲＣシグナリングを介して、前記ＣＳＩレポーティングの各インスタンスに対するリソース設定を送信すること、又は
前記ＣＳＩレポートのインスタンスに対して複数スロットのアップリンク送信を許可する下りリンク制御指示（ＤＣＩ：downlink control indication）を送信すること、
のうち、いずれかをさらに含む、請求項１１〜１４のいずれか１項に記載の方法。
【請求項１６】
前記ＣＳＩレポートのインスタンスに対するサブバンドセット設定を送信することをさらに含み、
前記サブバンドセット設定は、サブバンドセットのサイズ及び前記サブバンドセットに含まれるサブバンドのインデックスに関する情報を示す、請求項１１〜１５のいずれか１項に記載の方法。
【請求項１７】
チャネル状態に基づき選択されたサブバンド又はサブバンドセットに関するＣＳＩ情報を含むＣＳＩレポートのインスタンスを受信することをさらに含む、請求項１６に記載の方法。
【請求項１８】
２つのダウンリンクコードワードに対応する、ＣＳＩレポートの２つのインスタンスを受信することをさらに含み、
前記ＣＳＩレポートの前記２つのインスタンスの各々は、前記２つのダウンリンクコードワードのうちの対応する１つを送信するためのＣＳＩ部分を含む、請求項１１〜１７のいずれか１項に記載の方法。
【請求項１９】
前記２つのダウンリンクコードワードを、同一の送受信ポイント（ＴＲＰ：transmission / reception point）の異なるダウンリンクレイヤ、又は２つの異なるＴＲＰのうちのいずれかから送信することをさらに含む、請求項１８に記載の方法。
【請求項２０】
複数のインスタンスによるチャネル状態情報（ＣＳＩ：channel state information）レポーティングのための端末デバイスであって、前記端末デバイスは、
トランシーバと、
請求項１〜１０のいずれか１項に記載の方法を実行するように前記トランシーバを制御するプロセッサと、を備える端末デバイス。
【請求項２１】
複数のインスタンスによるチャネル状態情報（ＣＳＩ）レポートを受信するネットワークデバイスであって、前記ネットワークデバイスは、
トランシーバと、
請求項１１〜１９のいずれか１項に記載の方法を実行するように前記トランシーバを制御するプロセッサと、を備えるネットワークデバイス。
【請求項２２】
端末デバイスであって、
プロセッサと、
前記プロセッサに結合され、且つプログラムコードを有するメモリと、
を備え、
前記プログラムコードは、前記プロセッサ上で実行される場合、請求項１〜１０のいずれか１項に記載の動作を前記端末デバイスに実行させる、端末デバイス。
【請求項２３】
ネットワークデバイスであって、
プロセッサと、
前記プロセッサに結合され、且つプログラムコードを有するメモリと、
を備え、
前記プログラムコードは、前記プロセッサ上で実行される場合、請求項１１〜１９のいずれか１項に記載の動作を前記ネットワークデバイスに実行させる、ネットワークデバイス。
【発明の詳細な説明】
【技術分野】
【０００１】
本開示の非限定的且つ例示的な実施形態は、全体として、無線通信技術分野に関し、より具体的には複数のインスタンスによるチャネル状態情報（ＣＳＩ：Channel State Information）レポーティングの方法、デバイス及び装置に関する。
【背景技術】
【０００２】
Ｎｅｗ  Ｒａｄｉｏ無線アクセスシステム（ＮＲシステム又はＮＲネットワークとも称する）は、次世代の通信システムである。第３世代パートナーシッププロジェクト（３ＧＰＰ）ワークグループの無線アクセスネットワーク（ＲＡＮ）＃７１会議では、ＮＲシステムの研究が承認された。ＮＲシステムは、１００Ｇｈｚまでの周波数帯域を考慮するもので、その目標は、技術レポートＴＲ  ３８．９１３で定義された全ての使用状況、要求及び配置プランを解決可能な１つの技術的枠組みを作り上げることである。この技術的枠組みには、高度型モバイルブロードバンド、大規模マシンタイプ通信及び高信頼・低遅延通信等の要求が含まれる。
【０００３】
無線通信システムにおける１つの重要な技術として、ＣＳＩフィードバック又はレポーティングは、受信機から送信機までのチャネル品質に関する情報を提供可能である。３ＧＰＰ  Ｌｏｎｇ  Ｔｅｒｍ  Ｅｖｏｌｕｔｉｏｎ（ＬＴＥ）システムでは、ＣＳＩフィードバックは４ビットしか必要としない。これに対しＮＲシステムのバージョン１５では、ＣＳＩフィードバックの負荷は明らかに増加する。
【０００４】
図１は、バージョン１５におけるタイプＩＩ  ＣＳＩフィードバックのオーバーヘッドの例示リストを示す。表から明らかに理解できるように、ＣＳＩオーバーヘッドは４ビットより遥かに多く、状況によっては数百ビットに達している。特に、タイプＩＩ  ＣＳＩコードブックが、Ｌ＞４及びＲＩ＞２をサポーする場合、オーバーヘッドはさらに増加する。
【０００５】
図２は、別の例の表を示す。この表に示されるように、異なるＣＳＩがサポートするレポーティングフォーマットが示されている。該表に示すように、物理上りリンク制御チャネル（ＰＵＣＣＨ：Physical Uplink Control CHannel）の周期的ＣＳＩはワイドバンド（ＷＢ：wideband）のタイプＩのＣＳＩレポーティングのみをサポートし、物理上りリンク共用チャネル（ＰＵＳＣＨ：Physical Uplink Sharing CHannel）の半持続的ＣＳＩレポーティングは、ＷＢ及びサブバンド（ＳＢ：sub-band）の周波数粒度のタイプＩ及びタイプＩＩ  ＣＳＩを両方サポートする。また、タイプＩＩ  ＣＳＩを完全にサポートするように、さらにＳＰ−ＣＳＩを強化することも提案されている。これはＣＳＩオーバーヘッドがさらに増加することを意味する。したがって、ＣＳＩオーバーヘッド問題を解決する必要がある。
【０００６】
よって、本分野では、ＣＳＩレポーティングの改良された解決策が必要とされている。
【発明の概要】
【発明が解決しようとする課題】
【０００７】
このため、本開示では、先行技術の問題のうち少なくとも一部を解決し、又は少なくとも軽減するために、無線通信システムにおける複数のインスタンスによるＣＳＩレポーティングの新しい解決手段を提供する。
【課題を解決するための手段】
【０００８】
本開示の第１の態様では、無線通信システムにおける複数のインスタンスによるＣＳＩレポーティングに用いられる方法が提供される。該方法は、ＣＳＩレポートのインスタンスと優先度が該ＣＳＩレポートのインスタンスより高い別のＣＳＩレポートとの衝突に応じて、該ＣＳＩレポートのインスタンスを廃棄することと、該ＣＳＩレポートの全ての後続のインスタンスを破棄すること、該ＣＳＩレポートのインスタンスの次の送信のタイミングで、該ＣＳＩレポートのインスタンスを再送し、さらに新たなＣＳＩレポートまでの間、該ＣＳＩレポートの後続のインスタンスを送信すること、該ＣＳＩレポートの後続のインスタンスを継続して送信すること、又は、該ＣＳＩレポートのインスタンスの送信機会に対する時間オフセットにより、該ＣＳＩレポートのインスタンスを再送すること、のうちいずれかによって衝突を処理することとを含むことができる。
【０００９】
本開示の第２の態様では、無線通信システムにおける複数のインスタンスによるＣＳＩレポートを受信するための方法が提供される。該方法は、ＣＳＩレポートのインスタンスが、優先度が該ＣＳＩレポートのインスタンスより高い別のＣＳＩレポートと衝突する場合、該ＣＳＩレポートのインスタンス及び該ＣＳＩレポートの全ての後続のインスタンスを、いずれも破棄すること、該ＣＳＩレポートのインスタンスの次の送信機会において、該ＣＳＩレポートのインスタンスの再送を受信し、さらに、新たなＣＳＩレポートまでの間、該ＣＳＩレポートの後続のインスタンスを受信すること、該ＣＳＩレポートのインスタンスを破棄し、該ＣＳＩレポートの後続のインスタンスを受信すること、又は、該ＣＳＩレポートのインスタンスの送信機会に対する時間オフセットにより、該ＣＳＩレポートのインスタンスの再送を受信すること、のうちいずれかにより該ＣＳＩレポートの受信を実行することを含むことができる。
【００１０】
本開示の第３の態様では、複数のインスタンスによるＣＳＩレポーティングに用いるように構成される端末デバイスが提供される。該端末デバイスは、送受信器と、プロセッサとを含むことができる。該プロセッサは、送受信器を制御して、以下の操作を実行させるように構成される。前記操作は、ＣＳＩレポートのインスタンスと優先度が該ＣＳＩレポートのインスタンスより高い別のＣＳＩレポートとの衝突に応じて、該ＣＳＩレポートのインスタンスを廃棄すること、及び、該ＣＳＩレポートの全ての後続のインスタンスを破棄すること、該ＣＳＩレポートのインスタンスの次の送信のタイミングで、該ＣＳＩレポートのインスタンスを再送し、さらに新たなＣＳＩレポートまでの間、該ＣＳＩレポートの後続のインスタンスを送信すること、該ＣＳＩレポートの後続のインスタンスを継続して送信すること、又は、該ＣＳＩレポートのインスタンスの送信機会に対する時間オフセットにより、該ＣＳＩレポートのインスタンスを再送すること、のうちいずれかによって衝突を処理すること、である。
【００１１】
本開示の第４の態様では、複数のインスタンスによるＣＳＩレポートを受信するように構成されるネットワークデバイスが提供される。該ネットワークデバイスは、送受信器と、プロセッサとを含むことができる。該プロセッサは、送受信器を制御して、以下の操作を実行させるように構成される。前記操作は、ＣＳＩレポートのインスタンスが、優先度が該ＣＳＩレポートのインスタンスより高い別のＣＳＩレポートと衝突する場合、該ＣＳＩレポートのインスタンス及び該ＣＳＩレポートの全ての後続のインスタンスを、いずれも破棄すること、該ＣＳＩレポートのインスタンスの次の送信機会において、該ＣＳＩレポートのインスタンスの再送を受信し、さらに、新たなＣＳＩレポートまでの間、該ＣＳＩレポートの後続のインスタンスを受信すること、該ＣＳＩレポートのインスタンスを破棄し、該ＣＳＩレポートの後続のインスタンスを受信すること、さらに、該ＣＳＩレポートのインスタンスの送信機会に対する時間オフセットにより、該ＣＳＩレポートのインスタンスの再送を受信すること、のうちいずれかにより該ＣＳＩレポートの受信を実行すること、である。
【００１２】
本開示の第５の態様では、端末デバイスが提供される。該端末デバイスは、プロセッサと、メモリとを含むことができる。該メモリは、プロセッサに結合されプログラムコードを有することができ、該プログラムコードがプロセッサ上で実行される場合に、端末デバイスに、第１の態様のいずれかの実施形態にかかる方法の操作を実行させる。
【００１３】
本開示の第６の態様では、ネットワークデバイスが提供される。該ネットワークデバイスは、プロセッサと、メモリとを含むことができる。該メモリは、プロセッサに結合されプログラムコードを有することができ、該プログラムコードがプロセッサ上で実行される場合に、ネットワークデバイスに、第２の態様のいずれかの実施形態にかかる方法の操作を実行させる。
【００１４】
本開示の第７の態様では、コンピュータプログラムコードを含むコンピュータ可読記憶媒体が提供される。該コンピュータプログラムコードは、実行される場合に、装置に、第１の態様のいずれかの実施形態にかかる方法の動作を実行させるように構成される。
【００１５】
本開示の第８の態様では、コンピュータプログラムコードを含むコンピュータ可読記憶媒体が提供される。該コンピュータプログラムコードは、実行される場合に、装置に、第２の態様のいずれかの実施形態にかかる方法の動作を実行させるように構成される。
【００１６】
本開示の第９の態様では、コンピュータプログラム製品が提供される。該コンピュータプログラム製品は、第７の態様のコンピュータ可読記憶媒体を含む。
【００１７】
本開示の第１０の態様では、コンピュータプログラム製品が提供される。該コンピュータプログラム製品は、第８の態様のコンピュータ可読記憶媒体を含む。
【００１８】
本開示の実施形態により、複数のインスタンスによるＣＳＩレポーティングのための改良された解決手段が提供され、これによって、高度ＣＳＩレポーティング時のオーバーヘッドを減らすための複数のインスタンスによるＣＳＩレポーティングを支持することができる。
【図面の簡単な説明】
【００１９】
以下、図面を参照して実施形態を詳細に説明し、本開示の上述の及びその他の目的をさらに明らかにする。全ての図において、同一の図面符号は、同一又は類似の要素を示す。
【００２０】
【図１】バージョン１５におけるタイプＩＩ  ＣＳＩフィードバックのオーバーヘッドの例示表を示す図である。
【００２１】
【図２】異なるＣＳＩが支持するレポーティングフォーマットの別の例示表を示す図である。
【００２２】
【図３】先行技術における複数のインスタンスによるＣＳＩレポーティングの解決手段を、概略的に示す図である。
【００２３】
【図４】先行技術におけるＣＳＩレポーティングの別の解決手段を概略的に示す図である。
【００２４】
【図５】本開示の実施形態にかかる、端末デバイスでの複数のインスタンスによるＣＳＩレポーティング方法のフローチャートを概略的に示す図である。
【００２５】
【図６】ＳＢ  ＣＳＩレポートの間の例示的優先度を概略的に示す図である。
【００２６】
【図７Ａ】本開示の実施形態にかかる、ＣＳＩレポートのインスタンス０に対する例示的な衝突処理の解決手段を概略的に示す図である。
【図７Ｂ】本開示の実施形態にかかる、ＣＳＩレポートのインスタンス０に対する例示的な衝突処理の解決手段を概略的に示す図である。
【００２７】
【図８Ａ】本開示の実施形態にかかる、ＣＳＩレポートのインスタンスｎ（ｎ＞０）に対する例示的な衝突処理の解決手段を概略的に示す図である。
【図８Ｂ】本開示の実施形態にかかる、ＣＳＩレポートのインスタンスｎ（ｎ＞０）に対する例示的な衝突処理の解決手段を概略的に示す図である。
【図８Ｃ】本開示の実施形態にかかる、ＣＳＩレポートのインスタンスｎ（ｎ＞０）に対する例示的な衝突処理の解決手段を概略的に示す図である。
【００２８】
【図９】本開示の実施形態にかかる、端末デバイスにおける別の複数のインスタンスによるＣＳＩレポーティング方法のフローチャートを概略的に示す図である。
【００２９】
【図１０】本開示の実施形態にかかる、帯域幅部分（ＢＷＰ）切り替えの状況での複数のインスタンスによるＣＳＩレポーティングを概略的に示す図である。
【００３０】
【図１１Ａ】本開示の実施形態にかかる、端末デバイスでの複数のインスタンスによるＣＳＩレポーティング用いられるアクティブ化／非アクティブ化の方法のフローチャートを、概略的に示す図である。
【００３１】
【図１１Ｂ】本開示の実施形態にかかる、ＣＳＩレポートに用いられる関連インスタンス数の設定方法のフローチャートを概略的に示す図である。
【００３２】
【図１１Ｃ】本開示の実施形態にかかる、端末デバイスでの複数のインスタンスによるＣＳＩレポーティングに用いられるリソース割当方法のフローチャートを、概略的に示す図である。
【００３３】
【図１２】本開示の実施形態にかかるアクティブ化シグナリング又は非アクティブ化シグナリングの有效性を示す図である。
【００３４】
【図１３】本開示の実施形態にかかる、インスタンス数が異なる場合の複数のインスタンスによるＣＳＩレポーティングにおける例示的インスタンスを示す図である。
【００３５】
【図１４Ａ】本開示の実施形態にかかる、複数のインスタンスによるＣＳＩレポーティングに対する選択可能な２つのＲＡモードの１つを概略的に示す図である。
【図１４Ｂ】本開示の実施形態にかかる、複数のインスタンスによるＣＳＩレポーティングに対する選択可能な２つのＲＡモードの１つを概略的に示す図である。
【００３６】
【図１５】本開示の実施形態にかかる、複数のインスタンスによるＣＳＩレポーティングに対するサブバンド（ＳＢ）セットの設定方法のフローチャートを概略的に示す図である。
【００３７】
【図１６】本開示の実施形態にかかる、ＳＢレポートのインスタンスのアクティブ化／非アクティブ化を概略的に示す図である。
【００３８】
【図１７】本開示の実施形態にかかるＣＳＩレポーティングのインスタンス間の時分割多重化を概略的に示す図である。
【００３９】
【図１８Ａ】本開示の実施形態にかかる選択可能な２つのＳＢグループモードの１つを概略的に示す図である。
【図１８Ｂ】本開示の実施形態にかかる選択可能な２つのＳＢグループモードの１つを概略的に示す図である。
【００４０】
【図１９Ａ】本開示の実施形態にかかる選択可能な２つの差分ＣＱＩレポーティングの解決手段の１つを概略的に示す図である。
【図１９Ｂ】本開示の実施形態にかかる選択可能な２つの差分ＣＱＩレポーティングの解決手段の１つを概略的に示す図である。
【００４１】
【図２０】本開示の実施形態にかかる、別の複数のインスタンスによるＣＳＩレポーティング方法のフローチャートを概略的に示す図である。
【００４２】
【図２１】本開示の実施形態にかかる、複数のインスタンスによるＣＳＩレポーティングの例示的シナリオを概略的に示す図である。
【００４３】
【図２２】本開示の実施形態にかかるさらに別の、複数のインスタンスによるＣＳＩレポーティング方法のフローチャートを概略的に示す図である。
【００４４】
【図２３】本開示の実施形態にかかる、コードワードに基づく複数のインスタンスによるＣＳＩレポーティングを概略的に示す図である。
【００４５】
【図２４】本開示の実施形態にかかる、ネットワークデバイスで複数のインスタンスによるＣＳＩレポートを受信するための方法のフローチャートを概略的に示す図である。
【００４６】
【図２５】本開示の実施形態にかかる、ネットワークデバイスで複数のインスタンスによるＣＳＩレポートを受信するための別の方法のフローチャートを概略的に示す図である。
【００４７】
【図２６】本開示の実施形態にかかる、ネットワークデバイスで複数のインスタンスによるＣＳＩレポートを受信するための別の方法のフローチャートを概略的に示す図である。
【００４８】
【図２７】本開示の実施形態にかかる、ネットワークデバイスで複数のインスタンスによるＣＳＩレポートを受信するためのさらに別の方法のフローチャートを概略的に示す図である。
【００４９】
【図２８】本開示の実施形態にかかる、端末デバイスでの複数のインスタンスによるＣＳＩレポーティングに用いられる装置のブロック図を概略的に示す図である。
【００５０】
【図２９】本開示の実施形態にかかるネットワークデバイスで複数のインスタンスによるＣＳＩレポートを受信するための装置のブロック図を概略的に示す図である。
【００５１】
【図３０】装置３０１０及び装置３０２０の簡略化されたブロック図を概略的に示す図である。文中に記載されているように、該装置３０１０は、例えばＵＥ等の端末デバイスとして実現してよいし、又はその中に含まれていてよい。装置３０２０は、例えばｇＮＢ等のネットワークデバイスとして実現してよいし、又はその中に含まれていてよい。
【発明を実施するための形態】
【００５２】
以下、図面を参照しつつ実施形態を通して、本開示で提供する解決手段を詳細に説明する。理解すべき点として、これらの実施形態は、当業者が本開示をより適切に理解し実現することができるようにするために示されるものであり、本開示の範囲に対する何らかの制限を意図するものではない。
【００５３】
図面において、本開示の各実施形態はブロック図、フローチャート又は他の図によって示されている。フローチャート又はブロック図における各ブロックは、指定された論理機能を実行するための１つの又は複数の実行可能な指令を含むモジュール、プログラム又はコード部分を表すことができ、本開示において、不要なブロックは点線で示される。また、これらのブロックは、前記方法を実行するためのステップを特定の順序で示しているが、実際は、必ずしも厳格に示された順序に従い実行する必要はない。例えば、反対の順序で又は同時に実行することができる。これは対応する操作の性質により決まる。さらに注意すべき点として、フローチャート及び／又はフローチャート内の各ブロック及びその組合せは、指定された機能／操作を実行するための専用ハードウェアに基づくシステムにより実現することができ、又は専用ハードウェアとコンピュータの指令との組合せにより実現することができる。
【００５４】
文中で別に定義がある場合を除き、請求項において使用される全ての用語は、通常、本分野での一般的な意味に基づき解釈される。別に明示されていない限り、「１つの（ａ）／１つの（ａｎ）／前記（ｔｈｅ）／前記（ｓａｉｄ）［要素、デバイス、コンポーネント、手段、ステップ等］」の全ての引用は、前記要素、デバイス、コンポーネント、手段、ユニット、ステップ等を指すものであるとオープンに解釈されるべきであり、複数のこうしたデバイス、コンポーネント、手段、ユニット、ステップ等を排除するものではない。また、文中で使用される不定冠詞「１つの（ａ）／１つの（ａｎ）」は、複数のこうしたステップ、ユニット、モジュール、デバイス及びオブジェクト等を排除するものではない。
【００５５】
また、本開示の文脈において、ユーザ機器（ＵＥ：user equipment）は端末、移動端末（ＭＴ：Mobile Terminal）、加入者局装置、携帯式加入者局装置、移動局（ＭＳ：Mobile Station）又はアクセス端末（ＡＴ：Access Terminal）を指すことができ、また、ＵＥ、端末、ＭＴ、ＳＳ、携帯式加入者局装置、ＭＳ又はＡＴの一部又は全部の機能を含めることができる。また、本開示の文脈において、用語「ＢＳ」は、例えばノードＢ（ＮｏｄｅＢ又はＮＢ）、進化型ＮｏｄｅＢ（ｅＮｏｄｅＢ又はｅＮＢ）、ｇＮＢ（次世代ノードＢ）、無線ヘッド（ＲＨ：radio header）、リモート無線ヘッド（ＲＲＨ：remote radio head）、中継又は低電力ノード（例えばフェムト、ピコ等）を表すことができる。
【００５６】
背景技術で述べたように、ＮＲシステムのバージョン１５において、ＣＳＩフィードバックの負荷は明らかに増加しており、６００ビット近くまで増えているため、ＣＳＩオーバーヘッド問題を解決する必要がある。
【００５７】
３ＧＰＰ技術文書Ｒ１−１７１０６７３では、タイプＩＩ  ＣＳＩの差分レポートに対する解決手段が示されている。該解決手段において、ＣＳＩレポートは、Ｗ１（ブロードバンド）の１つのＷＢ  ＣＳＩレポート及びＷ２（サブバンド）のＴ個のＳＢ  ＣＳＩレポートを含む。ＳＢ  ＣＳＩレポートに対し、複数のインスタンスによるＣＳＩレポーティングの解決手段が示されており、該解決手段では、レポートするビームをＴ個のビームグループに分解し、そのＣＳＩはＴ個のインスタンスにおいてレポートを行う。図３に示すように、各ビームグループは２つのビームを含み、４つのビームをレポートする場合、２つのインスタンスが必要になる。８つのビームをレポートする場合、４つのインスタンスが必要になる。提出された解決手段において、ビームグループ上の各ＳＢ  ＣＳＩは、自己復号が可能であり、これは、他のいずれかのビームグループ上のＣＳＩから独立しており、また、Ｔ個の低い分解能のＣＳＩの線形性の総和により、高い分解能のＣＳＩが得られることを表している。
【００５８】
３ＧＰＰの技術文書Ｒ１−１７１１１６５ではさらに、ＰＵＣＣＨのＣＳＩレポーティングに関する解決手段が示されている。該解決手段では、図４に示すように、持続時間の長いＰＵＣＣＨを利用して、例えばチャネル状態情報参照信号リソース指標（ＣＲＩ：channel state information-reference signal resource indicator）、ランク指標（ＲＩ：Rank Indicator）、Ｗ１等の長期フィードバックを送信し、持続時間の短いＰＵＣＣＨを利用して、例えばＷ２、チャネル品質指示（ＣＱＩ：channel quality indication）等の短期フィードバック(short term feedback)を送信する。
【００５９】
３ＧＰＰ技術文書Ｒ１−１７１０４５４ではさらに、１つのインスタンスにおいてＣＳＩオーバーヘッドを減少させるいくつかのオプションが開示されている。示された解決手段では、３つの可能なオプションが挙げられている。
【００６０】
−オプション１：各レイヤのＣＳＩのレポーティングは、時間領域で多重化することができ、各レイヤのＣＳＩは、１つの時間インスタンス内でレポートを行う。
【００６１】
−オプション２：各レイヤのＣＳＩのレポーティングは、時間領域で多重化することができ、各レイヤのＣＳＩは、複数の時間インスタンス内でレポートを行う。
【００６２】
−オプション３：複数のレイヤのＣＳＩは、複数の時間インスタンス内でレポートを行うことができ、各時間インスタンス内でレポートするＣＳＩは、全てのレイヤに由来する。
【００６３】
特許出願の公開文書ＷＯ２０１８／０２９６４４Ａ２には、漸進的高度ＣＳＩフィードバックの解決手段が開示されている。該解決手段では、第１レポートインスタンスにおいて第１ビームのＣＳＩを送信し、第２レポートインスタンスにおいて同一位相因子（co-phasing factor）を有する第２ビームのＣＳＩを送信し、しかも、ＣＳＩレポートインスタンスは、ネットワークノードのリクエストに応じて、送信を行うことができる。
【００６４】
複数のインスタンスによるＣＳＩレポーティングについては、すでにいくつかの解決手段が示されているものの、複数のインスタンスによるＣＳＩレポーティングをどのようにサポートするかについては、依然として不明瞭であり、また、高度ＣＳＩレポーティングのオーバーヘッドを減少させる必要もある。このため、本開示では、これらの問題のうち少なくともいくつかを解決するか、又は少なくとも軽減するために、改良した解決手段を提供する。
【００６５】
以下、さらに図５〜図３０を参照して、本開示で提供する解決手段について詳細に説明する。しかしながら、理解すべき点として、以下の実施形態は説明を目的として示されるものにすぎず、本開示はこれに限定されない。特に、本明細書で説明する異なる実施形態は、技術的観点から可能であれば、単独且つ別々に、又は任意の適切な方式の組み合せにより、実現することができる。
【００６６】
図５は、本開示の実施形態にかかる、端末デバイスでの複数のインスタンスによるＣＳＩレポーティング方法のフローチャートを概略的に示す。方法５００は、端末デバイス（例えば、ＵＥ等の端末デバイス又は他の類似デバイス）において実行することができる。
【００６７】
図５に示すように、ステップ５１０において、ＣＳＩレポートのインスタンスと、優先度が該ＣＳＩレポートのインスタンスより高い別のＣＳＩレポートとの衝突に応じて、ＵＥはＣＳＩレポートのインスタンスを廃棄する（drop）。つまり、本開示の実施形態では、ＣＳＩレポート間に衝突があった場合、優先度が高いＣＳＩレポートのインスタンスを送信することのみが可能で、優先度が低いＣＳＩのインスタンスは廃棄される。
【００６８】
バージョン１５では、ＣＳＩレポート間の優先度が定義されており、以下のとおり表すことができる。
【数１】
2021531671.tif 000003
ここで、
ｉはＣＳＩレポートのインデックスを表す。
ｙ＝０、ＰＵＳＣＨにおいて搬送される（carried）非周期的ＣＳＩレポートに用いられる。ｙ＝１、ＰＵＳＣＨにおいて搬送される半持続的ＣＳＩに用いられる。ｙ＝２、ＰＵＣＣＨにおいて搬送される半持続的ＣＳＩに用いられる。ｙ＝３、ＰＵＣＣＨにおいて搬送される周期的ＣＳＩに用いられる。
ｋ＝０、Ｌ１−ＲＳＲＰを搬送するＣＳＩレポートに用いられる。ｋ＝１、Ｌ１−ＲＳＲＰを搬送しないＣＳＩレポートに用いられる。
ｃはサービスセルインデックスを表す。
ｓはレポート設定識別（report configuration identification）ＲｅｐｏｒｔＣｏｎｆｉｇＩＤを表す。
Ｎｃｅｌｌｓはセル数を表す。
Ｍｓは高レイヤパラメータｍａｘＮｒｏｆＣＳＩ−Ｒｅｐｏｒｔｓの値を表す。
【００６９】
上記式に基づき、ＣＳＩレポートの優先度を決定することができ、さらに、ＣＳＩレポートのインスタンスの優先度が、他のＣＳＩレポートより高いか低いかを決定できる。
【００７０】
図６はさらに、ＣＳＩレポートの部分２における優先度の図を示す。図から理解できるように、優先度は左から右に低くなっていく。優先度設定に基づき、部分２のＣＳＩレポートのインスタンスの優先度が、他のＣＳＩレポートより高いか低いかを決定でき、さらに、ＣＳＩレポートのインスタンスを送信するか否かを決定することができる。
【００７１】
再度図５を参照すると、ステップ５２０において、ＵＥは各種動作のうちのいずれかの動作で、衝突を処理することができる。各種動作は以下の動作を含むことができる。すなわち、ＣＳＩレポートの全ての後続のインスタンスを破棄する。ＣＳＩレポートのインスタンスの次の送信のタイミングで、ＣＳＩレポートのインスタンスを再送し、新たなＣＳＩレポートまでの間、ＣＳＩレポートの後続のインスタンスを送信する。ＣＳＩレポートの後続のインスタンスを継続して送信する。ＣＳＩレポートのインスタンスの送信機会に対する時間オフセットにより、ＣＳＩレポートのインスタンスを再送する。
【００７２】
本開示の実施形態において、ＣＳＩレポートのインスタンスが別のＣＳＩレポートと衝突し廃棄された場合、ＵＥはＣＳＩレポートの全ての後続のインスタンスを破棄することができる。図７Ａは、本開示の実施形態にかかる、ＣＳＩレポートのインスタンス０の例示的な衝突処理の解決手段の図示を概略的に示す。図に示すように、インスタンス０が別のＣＳＩレポートと衝突すると、インスタンス０は廃棄され、他の後続のインスタンス１、インスタンス２も、衝突が発生しない新たなＣＳＩレポートまでの間、破棄又は無視される。
【００７３】
本開示の別の実施形態において、ＵＥはＣＳＩレポートのインスタンスの次の送信機会で、ＣＳＩレポートのインスタンスを再送することができ、さらに、新たなＣＳＩレポートまでの間、ＣＳＩレポートの後続のインスタンスを送信することができる。図７Ｂは、本開示の実施形態にかかる、ＣＳＩレポートにおけるインスタンス０の別の例示的な衝突処理の解決手段の図示を概略的に示す。図に示すように、インスタンス０が別のＣＳＩレポートと衝突すると、インスタンス０は後続のインスタンスの送信機会（インスタンス１用）において再送され、さらに、ＣＳＩの後続のインスタンスも、衝突が発生しない新たなＣＳＩレポートまでの間に、送信される。したがって、本願の本実施形態では、ＣＳＩレポートのいくつかのインスタンス（例えばＣＳＩレポートのインスタンス２）は、送信される機会がなく、無視又は破棄される可能性がある。
【００７４】
本開示の別の実施形態では、ＵＥはＣＳＩレポートの後続のインスタンスを継続して送信することができ、衝突するインスタンスは廃棄される。図８Ａは、本開示の実施形態にかかる、ＣＳＩレポートにおけるインスタンスｎ（ｎ＞０）の例示的な衝突処理の解決手段の図示を概略的に示す。図に示すように、インスタンス１が別のＣＳＩレポートと衝突すると、インスタンス１は廃棄され、後続のインスタンス２は通常どおり、後続のインスタンスの送信機会で送信される。
【００７５】
本開示のさらに別の実施形態では、ＵＥはＣＳＩレポートのインスタンスの次の送信機会において、ＣＳＩレポートのインスタンスを再送し、さらに、新たなＣＳＩレポートまでの間、ＣＳＩレポートの後続のインスタンスを送信することができる。図８Ｂは、本開示の実施形態にかかる、ＣＳＩレポートにおけるインスタンスｎ（ｎ＞０）の別の例示的な衝突処理の解決手段の図示を概略的に示す。図に示すように、インスタンス１が別のＣＳＩレポートと衝突すると、インスタンス１は後続のインスタンスの送信機会（インスタンス２用）において再送され、さらに、衝突が発生しない新たなＣＳＩレポートまでの間、ＣＳＩの後続のインスタンス２も送信される。したがって、本願の該実施形態では、インスタンス０の衝突処理と同様に、ＣＳＩレポートのいくつかのインスタンス（例えば、あるとしたら、インスタンス２の後のＣＳＩレポートのインスタンス（図示せず））は、送信される機会がなく、無視又は破棄される可能性がある。
【００７６】
本開示の別の実施形態において、ＵＥは、ＣＳＩレポートのインスタンスの送信機会に対する時間オフセットによって、ＣＳＩレポートのインスタンスを再送することができる。図８Ｃは、本開示の実施形態にかかる、ＣＳＩレポートにおけるインスタンスｎ（ｎ＞０）の別の例示的な衝突処理の解決手段の図示を概略的に示す。図に示すように、インスタンス１が別のＣＳＩレポートと衝突すると、インスタンス１は廃棄され、ＣＳＩレポートのインスタンスの送信機会と所定の時間オフセットＬにより決定される時間に、再送される。時間オフセットＬは、ＣＳＩレポートのインスタンスの周期Ｐより小さいか、又はＣＳＩレポートのインスタンスの送信機会Ｔ０＋２Ｐと、ＣＳＩレポートのすぐ後の次のインスタンスの送信機会Ｔ０＋３Ｐとの間の時間間隔Ｐより小さい。この方法により、図８Ｃに示すように、ＣＳＩレポートの後続のインスタンスは、影響を受けない。インスタンス２が、別のＣＳＩレポートと衝突すると、ＵＥは、時間オフセットによってインスタンス２を再送することができる。インスタンス２が再送信機会においても、他のＣＳＩレポートと衝突する場合、ＵＥは図に示すようにインスタンス２を直接破棄することができる。
【００７７】
本開示のある異なる態様では、さらに、ＢＷＰ切り替えの状況において複数のインスタンスによるＣＳＩレポーティングに用いられる別の方法が提供される。図９を参照して、本開示の例示的実施形態を説明する。
【００７８】
図９は、本開示の実施形態にかかる、端末デバイスにおける別の複数のインスタンスによるＣＳＩレポーティング方法のフローチャートを概略的に示す。方法９００は、端末デバイス（例えば、ＵＥ等の端末デバイス又は他の類似デバイス）において実行することができる。
【００７９】
図９に示すように、ステップ９１０では、帯域幅部分（ＢＷＰ：bandwidth part）切り替えの状況において、ＵＥはＣＳＩレポートの第１インスタンスから、ＣＳＩレポートの送信を再開することができる。図１０に示すように、ＢＷＰ切り替えの後、異なるＢＷＰ２が用いられ、また、このような状況では、ＢＷＰが切り替えられてＢＷＰ１に戻る際に、ＣＳＩレポーティングを再開する必要がある。このような状況において、ＵＥは、対応するスケジューリングされたタイミングでインスタンス０のＣＳＩレポートの送信を再開し、送信を再開する前に、インスタンス０以外のレポートがスケジューリングされた全てのインスタンス（例えばインスタンス２）を破棄することができる。つまり、如何なる状況においても、ＢＷＰ切り替えが発生すると、ＵＥはＣＳＩレポートのインスタンス０から、ＣＳＩレポートの送信を回復することができる。
【００８０】
本開示の別の態様ではさらに、複数のインスタンスによるＣＳＩレポーティングの設定又はリソース割当に用いられる解決手段が提供される。図１１Ａ〜図１１Ｃを参照して、本開示の例示的実施形態を説明する。図１１Ａに示す方法１１００は、端末デバイス（例えば、ＵＥ等の端末デバイス又は他の類似デバイス）において実行することができる。
【００８１】
当業者であれば理解できるように、図１１Ａ〜図１１Ｃに示す異なるステップは、必ずしも本開示の１つの実施形態で実現されなくてもよい。実際には、各種組合せにより実現するか、又は本開示の異なる実施形態において単独で実現することができる。つまり、各ステップにおけるこれらの操作は、必ずしも結びつける必要はなく、独立して実現することができる。
【００８２】
図１１Ａは、本開示の実施形態にかかる、端末デバイスでの複数のインスタンスによるＣＳＩレポーティングに用いられるアクティブ化／非アクティブ化の方法のフローチャートを、概略的に示す。
【００８３】
図１１Ａに示すように、ステップ１１１０において、ＵＥは複数のインスタンスによるＣＳＩレポーティングの１つのアクティブ化／非アクティブ化シグナリングを受信することができる。ここで、該アクティブ化／非アクティブ化シグナリングは、ＣＳＩレポートの関連インスタンスに対し有効である。
【００８４】
例えば、ＣＳＩオーバーヘッドが非常に大きいＳＰ−ＣＳＩレポーティングにおいて、複数のインスタンスによるＣＳＩレポーティングをサポートすることができる。本開示の実施形態において、ＣＳＩレポートをＰＵＣＣＨ上に乗せる場合、アクティブ化／非アクティブ化シグナリングはメディアアクセス制御の制御エレメント（ＭＡＣ−ＣＥ）により実現することができる。本開示の別の実施形態において、ＣＳＩレポートをＰＵＳＣＨ上に乗せる場合、アクティブ化／非アクティブ化シグナリングは、下りリンク制御指示（ＤＣＩ：downlink control indication）のシグナリングにより実現することができる。
【００８５】
本開示の実施形態において、複数のインスタンスによるＣＳＩレポーティングのアクティブ化シグナリング又は非アクティブ化シグナリングは、ＣＳＩレポートの全てのインスタンスに適用される。図１２は、本開示の実施形態にかかるアクティブ化シグナリング又は非アクティブ化シグナリングの有効性の図示を示す。図１２に示すように、複数のインスタンスによるＣＳＩのアクティブ化シグナリングを受信すると、ＵＥは複数のインスタンスを使用して、ＣＳＩをレポートする。また、複数のインスタンスによるＣＳＩの非アクティブ化シグナリングを受信すると、ＵＥは複数のインスタンスを使用したＣＳＩレポーティングを停止する。
【００８６】
本開示の実施形態において、ＣＳＩレポートの関連インスタンス数も、ネットワークデバイスにより設定することができる。図１１Ｂは、本開示の実施形態にかかるＣＳＩレポートに用いられる関連インスタンス数の設定方法のフローチャートを示す。図１１Ｂに示す方法１１００は、端末デバイス（例えば、ＵＥ等の端末デバイス又は他の類似デバイス）において実行することができる。
【００８７】
図１１Ｂに示すように、ステップ１１２０において、ＵＥはＲＲＣシグナリングを介してＣＳＩレポートのインスタンス数の設定を受信する。ここで、ＣＳＩレポートのインスタンス数の設定は、ＣＳＩレポートの関連インスタンスの数を示す。
【００８８】
本開示の実施形態において、ＣＳＩレポートは、異なるインスタンス数の設定に対し、異なる方式で分割することができる。説明を目的として、図１３は、本開示の実施形態にかかる、インスタンス数が異なる場合の、例示的な複数のインスタンスによるＣＳＩレポーティングを示す。図１３に示すように、タイプＩＩ  ＣＳＩレポートに対し、インスタンス数が２つであれば、インスタンス０はＣＳＩ部分１を含むことができ、また、インスタンス１はＣＳＩ部分２を含むことができる。インスタンス数が３つであれば、インスタンス０はＣＳＩ部分１を含むことができ、インスタンス１はＷＢ  ＣＳＩのＣＳＩ部分２を含むことができ、インスタンス２はＳＢ  ＣＳＩのＣＳＩ部分２を含むことができる。インスタンス数が４つであれば、インスタンス０はＣＳＩ部分１を含むことができ、インスタンス１はＷＢ  ＣＳＩのＣＳＩ部分２を含むことができ、インスタンス２は偶数ＳＢ帯域のＳＢ  ＣＳＩのＣＳＩ部分２を含むことができ、インスタンス３は奇数ＳＢ帯域のＳＢ  ＣＳＩのＣＳＩ部分２を含むことができる。
【００８９】
本開示の別の実施形態において、ネットワークデバイスは、複数のインスタンスによるＣＳＩレポーティングで使用されるＣＳＩレポートインスタンスに対し、リソースを割り当てることができる。図１１Ｃは、本開示の実施形態にかかる端末デバイスでの複数のインスタンスによるＣＳＩレポーティングに用いられるリソース割当方法のフローチャートを示す。図１１Ｃに示す方法１１００は、端末デバイス（例えば、ＵＥ等の端末デバイス又は他の類似デバイス）において実行することができる。
【００９０】
図１１Ｃに示すように、ステップ１１３０において、ＵＥはＣＳＩレポートのインスタンスに用いられるリソース割当を受信することができる。本開示の実施形態において、ＵＥはＲＲＣシグナリングを介して、ＣＳＩレポーティングの各インスタンスに用いられるリソース設定を受信することができる。本開示の別の実施形態において、ＵＥは、ＣＳＩレポートのインスタンスに対し複数スロットの上りリンク送信を許可する下りリンク制御指示（ＤＣＩ）を受信することができる。
【００９１】
本開示の実施形態において、複数のインスタンスによるＣＳＩレポーティングのリソース割当（ＲＡ：resource allocation）は、均一でなくてよい。図１４Ａに示すように、インスタンス０、１及び２のＲＡは、サイズ又は帯域位置のいずれの面でも、異なっていてよい。しかしながら、異なるＣＳＩレポートに対し、同一のインスタンスのＲＡは、サイズ及び帯域位置が同一である。
【００９２】
説明を目的として、以下に、非均一ＲＡの設定のためのＲＲＣシグナリングを示す。
【数２】
2021531671.tif 000004
【００９３】
本開示の実施形態において、複数のインスタンスによるＣＳＩレポーティングのＲＡは、均一であり得る。つまり、それらは同一のリソースサイズを有し、同一の帯域位置を占有し、所定の周期Ｐを有することができる。図１４Ｂに示すように、インスタンス０、１及び２のＲＡはサイズが同一であり、同一の帯域位置を占有し、周期Ｐを有する。また、異なるＣＳＩレポートに対し、それらは同一のＲＡモードを有する。
【００９４】
本開示の別の態様では、ＣＳＩレポートはサブバンドセットに基づき実行することができる。つまり、ＣＳＩレポートの１つのインスタンスは、サブバンドセットと対応するＣＳＩを含むことになる。このようなサブバンドセットは、ネットワークデバイスにより設定される、又は端末デバイスにより決定されることができる。これについて図１５〜図１７を参照してさらに詳細に説明する。
【００９５】
図１５は、本開示の実施形態にかかる、複数のインスタンスによるＣＳＩレポーティングのサブバンド（ＳＢ）セット設定の方法のフローチャートを概略的に示す。方法１５００は、端末デバイス（例えば、ＵＥ等の端末デバイス又は他の類似デバイス）において実行することができる。
【００９６】
図１５に示すように、ステップ１５１０において、ＵＥはＣＳＩレポートのインスタンスに用いられるサブバンドセット設定を受信することができる。該サブバンドセット設定は、サブバンドセットのサイズ及びサブバンドセットに含まれるサブバンドのインデックスに関する情報を示す。説明を目的として、以下に、サブバンドセット設定の例示的ＲＲＣシグナリングを示す。
【数３】
2021531671.tif 000005
【００９７】
本開示の実施形態では、図１６に示すように、１つのアクティブ化／非アクティブ化シグナリングは、１つ以上のＳＢレポートインスタンスに対しても有効であり得る。本開示の別の実施形態では、図１７に示すように、ＣＳＩレポーティングの各インスタンスは、同一のレポーティングチャネルで時分割多重化するか、又は同一のＲＡを使用することができる。本開示の実施形態では、対応するレポーティングのＳＢのインスタンスは、互いに独立した優先度を有することができる。また、本開示の別の実施形態では、全ての状況に対し再送は許可されない。
【００９８】
再度図１５を参照する。ステップ１５２０に示すように、ＵＥはサブバンドセット設定、サブバンドビットマップ及びＣＳＩレポートのインスタンス数に基づき、サブバンドセットを決定してもよい。ネットワークデバイスからのサブバンドセット設定、端末デバイスにとって既知のサブバンドビットマップ、及びＣＳＩレポートのインスタンス数の設定に基づき、ＵＥは、そのＣＱＩをレポートするＳＢセットを決定することができる。
【００９９】
本開示の実施形態において、各インスタンスに含まれるＷＢ  ＣＳＩ（ＲＩ／ＣＱＩ／プリコーディング行列インジケータ（ＰＭＩ：Precoding Matrix indicator））は、ＳＢセット上に制約され得る。本開示の別の実施形態では、オプションとして、ＳＢセットにおける各ＳＢで、ＳＢ  ＣＱＩ／ＰＭＩをレポートする。また、ＲＩは、ＣＳＩレポートの全てのインスタンスにおいて、同一の値を用いることができる。代替的な選択として、ＲＩは、ＣＳＩレポートの全てのインスタンスにおいて、異なる値を用いることができる。
【０１００】
図１８Ａ及び図１８Ｂは、本開示の実施形態にかかる選択可能な２つのＳＢグループモードを概略的に示す。図１８Ａに示すように、モードＡにおいて、ＳＢセットは隣り合うサブバンドにより形成され、隣り合うサブバンドは、ＳＢセットのサイズにより決定されることができる。図１８Ｂに示すように、モードＢにおいて、ＳＢセットは櫛状パターンのＳＢにより形成される。ここで、ＳＢセットは比例定数及びオフセット値によりインデックス付けすることができる。例えば、櫛が３つである状況に対し、比例定数１／３を用い、第１、第２及び第３のＳＢセットのオフセット値をそれぞれ、０、１、２とすることができる。
【０１０１】
本開示の実施形態において、ＣＳＩレポートのインスタンスにおいて、差分ＣＱＩレポーティングの解決手段を採用することができる。説明を目的として、図１９Ａ及び図１９Ｂは、本開示の実施形態にかかる選択可能な２つの差分ＣＱＩレポーティングの解決手段を概略的に示す。図１９Ａに示すように、３つインスタンスに対し、ＣＱＩ０はＳＢセットのＷＢ  ＣＱＩを含むことができ、ＣＱＩ１及びＣＱＩ２はいずれも、ＣＱＩ０に対する差分ＣＱＩを含むことができる。図１９Ｂで示されているのは、図１９Ａの解決手段と異なり、ＣＱＩ２のみが、ＣＱＩ１に対する差分ＣＱＩを含むことができる。
【０１０２】
本開示の別の態様では、ネットワークデバイスによるＳＢセットの設定の代わりに、ＵＥにより、各ＣＳＩレポーティングのインスタンスに対しＳＢ又はＳＢセットを選択することが提案される。図２０は、本開示の実施形態にかかる、別の複数のインスタンスによるＣＳＩレポーティング方法のフローチャートを概略的に示す。方法２０００は、端末デバイス（例えば、ＵＥ等の端末デバイス又は他の類似デバイス）において実行することができる。
【０１０３】
図２０に示すように、ＵＥはチャネル状態に基づき、ＣＳＩレポートのインスタンスのために、少なくとも１つのサブバンド又はサブバンドセットを選択してもよい。図２１は、本開示の実施形態にかかる、複数のインスタンスによるＣＳＩレポーティングの例示的シナリオを概略的に示す。図２１に示すように、ＵＥはチャネル状態を知ることができ、これに基づき、例えば、ＣＳＩレポーティングのために、より良いチャネル品質の３つのＳＢセットを選択することができる。その後、ステップ２０３０において、ＵＥは、選択した少なくとも１つのサブバンド又はサブバンドセットに関するＣＳＩ情報を含むＣＳＩレポートのインスタンスを送信してもよい。
【０１０４】
本開示の実施形態において、アクティブ化／非アクティブ化シグナリングによって、ＵＥは、各インスタンスに用いられるＳＢレポートを選択できる。また、上りリンク制御指示（ＵＣＩ：uplink control indication）においてネットワークデバイスに対しＳＢセットの選択を通知することができる。例えば、各レポーティングインスタンスにおけるＵＣＩは、ＳＢ識別（SB idntificaiton）又はＳＢセット識別（SB set identification）を含むことができる。
【０１０５】
本開示の実施形態において、ＳＢ（セット）に用いられるＷＢ  ＣＳＩは、ＲＩ／ＷＢ  ＣＱＩ／ＷＢ  ＰＭＩを含むことができ、ＳＢのＳＢ  ＣＳＩは、ＳＢ  ＣＱＩ／ＰＭＩを含むことができる。また、ＲＩは、ＣＳＩレポートの全てのインスタンスにおいて、同一の値を用いることができる。又は、ＲＩは、ＣＳＩレポートのすべてのインスタンス上で、異なる値を用いることができる。
【０１０６】
本開示のさらに別の態様では、複数のインスタンスによるＣＳＩレポーティングは、コードワード（又は送信ブロック）に基づき実行することができる。つまり、各コードワード（又は各送信ブロック）に従い、ＣＳＩインスタンスをレポートすることができる。図２２は、本開示の実施形態にかかるさらに別の、複数のインスタンスによるＣＳＩレポーティング方法のフローチャートを概略的に示す。方法２２００は、端末デバイス（例えば、ＵＥ等の端末デバイス又は他の類似デバイス）において実行することができる。
【０１０７】
図２２に示すように、ステップ２２１０において、ＵＥはＣＳＩレポートの２つのインスタンスを送信することができる。該ＣＳＩレポートの２つのインスタンスは、２つの下りリンクコードワードと対応しており、ＣＳＩレポートの２つのインスタンスにおける各インスタンスは、いずれも、２つの下りリンクコードワードにおける対応する下りリンクコードワードを送信するためのＣＳＩ部分を含む。
【０１０８】
図２３は、本開示の実施形態にかかる、コードワードに基づく複数のインスタンスによるＣＳＩレポーティングの図示を概略的に示す。図２３に示すように、ＣＳＩレポートは、２つのコードワードに対する２つのインスタンス、インスタンス０及びインスタンス１を含むことができる。インスタンス０は、ネットワークデバイスが第１コードワード（即ち、ＤＬコードワードＡ）を送信するためのＣＳＩ部分を含み、インスタンス１は、ネットワークデバイスが第２コードワード（即し、ＤＬコードワードＢ）を送信するためのＣＳＩ部分を含む。特に、インスタンス０及びインスタンス１はそれぞれ、ＲＩ／ＷＢ、ＣＱＩ／ＷＢ又はＰＭＩのＵＣＩを含むことができ、オプションとして、関連するコードワードのＳＢ  ＣＱＩ／ＳＢ  ＰＭＩを含んでもよい。
【０１０９】
本開示の実施形態において、異なる送受信ポイント（ＴＲＰ：transmission/reception points）から２つのコードワードを送信することができる。本開示の別の実施形態では、同一ＴＲＰの異なる下りリンクレイヤから２つのコードワードを送信することができる。例えば、コードワードＡはＴＲＰの１−４レイヤから送信され、コードワードＢは同一ＴＲＰのレイヤ５〜７から送信される。
【０１１０】
続いて、図２４〜図２７を参照して、本開示の実施形態にかかる、ネットワークデバイスにおいて複数のインスタンスによるＣＳＩレポートを受信する例示的方法を説明する。
【０１１１】
図２４は、本開示の実施形態にかかる、ネットワークデバイスで複数のインスタンスによるＣＳＩレポートを受信するための方法のフローチャートを概略的に示す。方法２４００は、ネットワークデバイス（例えば、ｇＮＢ等の基地局又は他の類似デバイス）において実行することができる。
【０１１２】
図２４に示すように、ステップ２４１０において、ＣＳＩレポートのインスタンスが、優先度が該ＣＳＩレポートのインスタンスよりも高い別のＣＳＩレポートと衝突する場合、ｇＮＢは、各種動作のうちのいずれかによりＣＳＩレポートの受信を実行することができる。本動作は、ＣＳＩレポートのインスタンス及びＣＳＩレポートの全ての後続のインスタンスの両方を破棄すること、ＣＳＩレポートのインスタンスの次の送信機会で、ＣＳＩレポートのインスタンスの再送を受信し、新たなＣＳＩレポートまで、ＣＳＩレポートの後続のインスタンスを受信すること、ＣＳＩレポートのインスタンスを破棄し、ＣＳＩレポートの後続のインスタンスを受信すること、又は、ＣＳＩレポートのインスタンスの送信機会に対する時間オフセットにより、ＣＳＩレポートのインスタンスの再送を受信すること、を含んでもよい。
【０１１３】
本開示の実施形態において、方法２４００は、代替として又は追加で、ＢＷＰ切り替えの状況において、ＣＳＩレポートの第１インスタンスから、ＣＳＩレポートの受信を再開することを含むことができる。
【０１１４】
本開示の異なる態様では、さらに、複数のインスタンスによるＣＳＩレポーティングの別の設定又はリソース割当方法が提供される。図２５を参照して、本開示の例示的実施形態を説明する。
【０１１５】
図２５は、本開示の実施形態にかかる、ネットワークデバイスで複数のインスタンスによるＣＳＩレポートを受信するための別の方法のフローチャートを概略的に示す。方法２５００は、ネットワークデバイス（例えば、ｇＮＢ等の基地局又は他の類似デバイス）において実行することができる。
【０１１６】
図２５に示すように、ステップ２５１０において、ｇＮＢは複数のインスタンスによるＣＳＩレポーティングのアクティブ化又は非アクティブ化シグナリングを送信することができる。該アクティブ化又は非アクティブ化シグナリングは、ＣＳＩレポートの関連インスタンスに対し有効である。代替として又は追加で、ステップ２５２０において、ｇＮＢはＲＲＣシグナリングを介して、ＣＳＩレポートのインスタンス数の設定を送信することができる。ここで、ＣＳＩレポートのインスタンス数の設定は、ＣＳＩレポートの関連インスタンスの数を示す。図２５でさら示すように、ステップ２５３０において、ｇＮＢはＣＳＩレポートのインスタンスのリソース割当を送信することができる。本開示の実施形態において、ＲＲＣシグナリングを介してＣＳＩレポーティングの各インスタンスのリソース設定を送信することで、リソース割当の送信を実現することができる。本開示の別の実施形態において、ｇＮＢは、ＣＳＩレポートのインスタンスに対し、複数スロットの上りリンク送信を許可する下りリンク制御指示（ＤＣＩ）を送信することができる。
【０１１７】
本開示のさらに異なる態様では、ＣＳＩレポートはサブバンドセットに基づき実行することができる。つまり、ＣＳＩレポートの１つのインスタンスは、サブバンドセットと対応するＣＳＩを含むことになる。このようなサブバンドセットは、ネットワークデバイスにより設定されるか、又は端末デバイスにより決定されることができる。これについて図２６を参照してさらに詳細に説明する。
【０１１８】
図２６は、本開示の実施形態にかかる、ネットワークデバイスで複数のインスタンスによるＣＳＩレポートを受信するための別の方法のフローチャートを概略的に示す。方法２６００は、ネットワークデバイス（例えば、ｇＮＢ等の基地局又は他の類似デバイス）において実行することができる。
【０１１９】
図２６に示すように、ステップ２６１０において、ｇＮＢはＣＳＩレポートのインスタンスのサブバンドセット設定を送信することができる。該サブバンドセット設定は、サブバンドセットのサイズ及びサブバンドセットに含まれるサブバンドのインデックスに関する情報を示す。代替として、ネットワークデバイスからＳＢセットを設定する代わりに、ＵＥがチャネル条件に基づき、ＣＳＩレポートのインスタンスのために、少なくとも１つのサブバンド又はサブバンドセットを選択できる。このような状況において、ステップ２０２６に示すように、ｇＮＢはＣＳＩレポートのインスタンスを受信することができる。該ＣＳＩレポートのインスタンスは、チャネル状態に基づき選択されたサブバンド又はサブバンドセットに関するＣＳＩ情報を含むＣＳＩレポートのインスタンスである。
【０１２０】
本開示のさらに別の態様では、複数のインスタンスによるＣＳＩレポーティングは、コードワードに基づき実行することができる。つまり、各コードワードに従い、ＣＳＩインスタンスをレポートすることができる。これについて、図２７を参照して説明する。
【０１２１】
図２７は、本開示の実施形態にかかる、ネットワークデバイスで複数のインスタンスによるＣＳＩレポートを受信するためのさらに別の方法のフローチャートを概略的に示す。方法２７００は、ネットワークデバイス（例えば、ｇＮＢ等の基地局又は他の類似デバイス）において実行することができる。
【０１２２】
図２７に示すように、ステップ２７１０において、ｇＮＢはＣＳＩレポートの２つのインスタンスを受信することができる。該ＣＳＩレポートの２つのインスタンスは、２つの下りリンクコードワードと対応しており、ＣＳＩレポートの２つのインスタンスにおける各インスタンスは、いずれも、２つの下りリンクコードワードにおける対応する下りリンクコードワードを送信するためのＣＳＩ部分を含む。ｇＮＢは、２つのインスタンスに含まれるＣＳＩ部分を取得し、対応するＣＳＩ部分に含まれるＣＳＩに基づきコードワードを送信することができる。
【０１２３】
本開示の実施形態において、ｇＮＢは、同一の送受信ポイント（ＴＲＰ）の異なる下りリンクレイヤから、２つの下りリンクコードワードを送信することができる。本開示の別の実施形態において、ｇＮＢは、２つの異なるＴＲＰから２つの下りリンクコードワードを送信することができる。
【０１２４】
以上、図２４〜図２７を参照して、ネットワーク側で複数のインスタンスによるＣＳＩレポーティングを受信する例示的方法を簡単に説明した。しかしながら、ネットワークデバイスにおける操作は、基本的に、端末デバイスにおける操作と対応しており、いくつかの操作の詳細については、図５〜図２３での説明を参照することができることを理解されたい。
【０１２５】
図２８は、本開示の実施形態にかかる、端末デバイスでの複数のインスタンスによるＣＳＩレポーティングに用いられる装置のブロック図を概略的に示す。装置２８００は、端末デバイス（例えば、ＵＥ又は他の類似デバイス）において実現することができる。
【０１２６】
図２８００に示すように、装置２８００は、インスタンス廃棄モジュール２８０１と衝突処理モジュール２８０２とを含むことができる。インスタンス廃棄モジュール２８０１は、ＣＳＩレポートのインスタンスと、優先度が該ＣＳＩレポートのインスタンスより高い別のＣＳＩレポートとの衝突に応じて、該ＣＳＩレポートのインスタンスを廃棄するように構成され得る。衝突処理モジュール２８０２は、以下のいずれかによって衝突を処理するように構成され得る。すなわち、ＣＳＩレポートの全ての後続のインスタンスを破棄する。ＣＳＩレポートのインスタンスの次の送信のタイミングで、ＣＳＩレポートのインスタンスを再送し、新たなＣＳＩレポートまでの間、ＣＳＩレポートの後続のインスタンスを送信する。ＣＳＩレポートの後続のインスタンスを継続して送信する。又は、ＣＳＩレポートのインスタンスの送信機会に対する時間オフセットにより、ＣＳＩレポートのインスタンスを再送する。
【０１２７】
本開示の実施形態において、装置２８００は、代替として又は追加で、レポート再開モジュール２８０３を含むことができる。レポート再開モジュール２８０３は、帯域幅部分（ＢＷＰ）の切り替えの状況において、ＣＳＩレポートの第１インスタンスからＣＳＩレポートの送信を再開するように構成され得る。
【０１２８】
本開示の別の実施形態において、装置２８００は、追加で又は代替として、アクティブ化／非アクティブ化シグナリング受信モジュール２８０４を含むことができる。アクティブ化／非アクティブ化シグナリング受信モジュール２８０４は、複数のインスタンスによるＣＳＩレポーティングのアクティブ化又は非アクティブ化シグナリングを受信するように構成され得る。該アクティブ化又は非アクティブ化シグナリングは、ＣＳＩレポートの関連インスタンスに対して有効である。
【０１２９】
本開示の別の実施形態において、装置２８００は、追加で又は代替として、インスタンス数設定受信モジュール２８０５を含むことができる。インスタンス数設定受信モジュール２８０５は、ＲＲＣシグナリングを介してＣＳＩレポートのインスタンス数の設定を受信するように構成され得る。ここで、ＣＳＩレポートのインスタンス数の設定は、ＣＳＩレポートの関連インスタンスの数を示す。
【０１３０】
本開示のさらに別の実施形態において、装置２８００は、追加で又は代替として、リソース割当受信モジュール２８０６を含むことができる。リソース割当受信モジュール２８０６は、ＲＲＣシグナリングを介して、ＣＳＩレポーティングの各インスタンスのリソース設定を受信するように構成され得る。又は代替として、本開示のさらに別の実施形態において、装置２８００はさらに、ＤＣＩ受信モジュール２８０７を含むことができる。ＤＣＩ受信モジュール２８０７は、ＣＳＩレポートのインスタンスに対し複数スロットの上りリンク送信を付与する下りリンク制御指示（ＤＣＩ）を受信するように構成され得る。
【０１３１】
本開示の別の実施形態において、装置２８００は、追加で又は代替としてＳＢセット設定受信モジュール２８０８を含むことができる。ＳＢセット設定受信モジュール２８０８は、ＣＳＩレポートのインスタンスのサブバンドセット設定を受信するように配置することができる。該サブバンドセット設定は、サブバンドセットのサイズ及びサブバンドセットに含まれるサブバンドのインデックスに関する情報を示す。
【０１３２】
本開示の別の実施形態において、装置２８００は、追加で又は代替としてＳＢセット決定モジュール２８０９を含むことができる。ＳＢセット決定モジュール２８０９は、サブバンドセット設定、サブバンドビットマップ及びＣＳＩレポートのインスタンス数に基づき、サブバンドセットを決定するように構成され得る。
【０１３３】
本開示のさらに別の実施形態において、装置２８００は、追加で又は代替として、ＳＢ／ＳＢセット選択モジュール２８１０と、インスタンス送信モジュール２８１１とを含むことができる。ＳＢ／ＳＢセット選択モジュール２８１０は、チャネル条件に基づき、ＣＳＩレポートのインスタンスのために、少なくとも１つのサブバンド又はサブバンドセットを選択するように構成され得る。インスタンス送信モジュール２８１１は、ＣＳＩレポートのインスタンスを送信するように構成され得る。該ＣＳＩレポートのインスタンスは、選択された少なくとも１つのサブバンド又はサブバンドセットに関するＣＳＩ情報を含む。
【０１３４】
本開示のさらに別の実施形態において、装置２８００は、追加で又は代替として、ＣＷベースインスタンス送信モジュール２８１２を含むことができる。ＣＷベースインスタンス送信モジュール２８１２は、ＣＳＩレポートの２つのインスタンスを送信するように構成され得る。該ＣＳＩレポートの２つのインスタンスは、２つの下りリンクコードワードと対応しており、ＣＳＩレポートの２つのインスタンスにおける各インスタンスは、２つの下りリンクコードワードにおける対応する下りリンクコードワードを送信するためのＣＳＩ部分を含む。
【０１３５】
本開示の実施形態において、同一の送受信ポイント（ＴＲＰ：transmission/reception poinnt）の異なる下りリンクレイヤから、２つの下りリンクコードワードを受信することができる。本開示の別の実施形態において、２つの異なるＴＲＰから２つの下りリンクコードワードを受信することができる。
【０１３６】
図２９は、本開示の実施形態にかかるネットワークデバイスで複数のインスタンスによるＣＳＩレポートを受信するための装置のブロック図を概略的に示す。装置２９００は、ネットワークデバイス又はノード（例えば、ｇＮＢ又は他の類似デバイス）において実現することができる。
【０１３７】
図２９に示すように、装置２９００は、ＣＳＩレポート受信モジュール２９０１を含むことができる。ＣＳＩレポート受信モジュール２９０１は、ＣＳＩレポートのインスタンスが、優先度が該ＣＳＩレポートのインスタンスより高い別のＣＳＩレポートと衝突する場合、以下のいずれかによりＣＳＩレポートを受信することができる。すなわち、ＣＳＩレポートのインスタンス及びＣＳＩレポートの全ての後続のインスタンスを、いずれも破棄する。ＣＳＩレポートのインスタンスの次の送信機会で、ＣＳＩレポートのインスタンスの再送を受信し、さらに、新たなＣＳＩレポートまでの間、ＣＳＩレポートの後続のインスタンスを受信する。ＣＳＩレポートのインスタンスを破棄し、ＣＳＩレポートの後続のインスタンスを受信する。又は、ＣＳＩレポートのインスタンスの送信機会に対する時間オフセットにより、ＣＳＩレポートのインスタンスの再送を受信する。
【０１３８】
本開示の実施形態において、装置２９００は、追加で又は代替として、レポート受信再開モジュール２９０３を含むことができる。レポート受信再開モジュール２９０３は、ＢＷＰ切り替えの状況において、ＣＳＩレポートの第１インスタンスからＣＳＩレポートの受信を再開するように構成され得る。
【０１３９】
本開示の別の実施形態において、装置２９００は、追加で又は代替として、アクティブ化／非アクティブ化シグナリング送信モジュール２９０４を含むことができる。アクティブ化／非アクティブ化シグナリング送信モジュール２９０４は、複数のインスタンスによるＣＳＩレポーティングのアクティブ化又は非アクティブ化シグナリングを送信するように構成される。該アクティブ化又は非アクティブ化シグナリングは、ＣＳＩレポートの関連インスタンスに対して有効である。
【０１４０】
本開示の別の実施形態において、装置２９００は、追加で又は代替として、インスタンス数設定送信モジュール２９０５を含むことができる。インスタンス数設定送信モジュール２９０５は、ＲＲＣシグナリングを介してＣＳＩレポートのインスタンス数の設定を送信するように構成され得る。ここで、ＣＳＩレポートのインスタンス数の設定は、ＣＳＩレポートの関連インスタンスの数を示す。
【０１４１】
本開示のさらに別の実施形態において、装置２９００は、追加で又は代替として、リソース設定送信モジュール２９０６を含むことができる。リソース設定送信モジュール２９０６は、ＲＲＣシグナリングを介して、ＣＳＩレポーティングの各インスタンスのリソース設定を送信するように構成されることができる。
【０１４２】
本開示のさらに別の実施形態において、装置２９００は追加で又は代替として、ＤＣＩ送信モジュール２９０７を含むことができる。ＤＣＩ送信モジュール２９０７は、ＣＳＩレポートのインスタンスに対し複数スロットの上りリンク送信を付与する下りリンク制御指示（ＤＣＩ）を送信するように構成されることができる。
【０１４３】
本開示の別の実施形態において、装置２９００は、追加で又は代替として、ＳＢセット設定送信モジュール２９０８を含むことができる。ＳＢセット設定送信モジュール２９０８は、ＣＳＩレポートのインスタンスのサブバンドセット設定を送信するように構成されることができる。該サブバンドセット構成は、サブバンドセットのサイズ及びサブバンドセットに含まれるサブバンドのインデックスに関する情報を示す。
【０１４４】
本開示のさらに別の実施形態において、装置２９００は、追加で又は代替として、インスタンス受信モジュール２９１１を含むことができる。インスタンス受信モジュール２９１１は、ＣＳＩレポートのインスタンスを受信するように構成されることができる。該ＣＳＩレポートのインスタンスは、チャネル条件に基づき選択されたサブバンド又はサブバンドセットに関するＣＳＩ情報を含む。
【０１４５】
本開示のさらに別の実施形態において、装置２９００は、追加で又は代替として、ＣＷベースインスタンス受信モジュール２９１２を含むことができる。ＣＷベースインスタンス受信モジュール２９１２は、ＣＳＩレポートの２つのインスタンスを受信するように構成されることができる。該ＣＳＩレポートの２つのインスタンスは、２つの下りリンクコードワードと対応しており、ＣＳＩレポートの２つのインスタンスにおける各インスタンスは、２つの下りリンクコードワードにおける対応する下りリンクコードワードを送信するためのＣＳＩ部分を含む。
【０１４６】
本開示の実施形態において、同一の送受信ポイント（ＴＲＰ）の異なる下りリンクレイヤから、２つの下りリンクコードワードを送信することができる。本開示の別の実施形態において、２つの異なるＴＲＰから２つの下りリンクコードワードを送信することができる。
【０１４７】
以上、図２８及び図２９を参照して装置２８００〜２９００を簡単に説明した。装置２８００〜装置２９００は、図５〜図２７を参照して述べた機能を実現するように構成されてもよいことに注意されたい。したがって、これらの装置におけるモジュールの操作の詳細は、図５〜図２７を参照して行った方法の各ステップに対する説明を参照することができる。
【０１４８】
また、装置２８００〜装置２９００のコンポーネントは、ハードウェア、ソフトウェア、ファームウェア及び／又はそれらの任意の組合せにより体現できる点に注意されたい。例えば、装置２８００〜２９００のコンポーネントは、それぞれ、回路、プロセッサ又はその他任意の適切に選択されたデバイスにより実現することができる。
【０１４９】
当業者であれば理解できるはずだが、以上の例示は制限ではなく説明用にすぎず、本開示はこれによって限定されない。本明細書で提供した教示内容からは、複数の変更、追加、削除及び修正が容易に想到され、こうした変更、追加、削除及び修正は全て、本開示の保護範囲に含まれる。
【０１５０】
また、本開示のいくつかの実施形態において、装置２８００〜２９００は少なくとも１つのプロセッサを含むことができる。例示として、本開示の実施形態と共に使用されるのに適した少なくとも１つのプロセッサは、現在既知の又は将来開発される汎用プロセッサ及び専用プロセッサを含むことができる。装置２８００〜２９００はさらに、少なくとも１つのメモリを含むことができる。少なくとも１つのメモリは、ＲＡＭ、ＲＯＭ、ＥＰＲＯＭ、ＥＥＰＲＯＭ及びフラッシュメモリ等の半導体メモリを含むことができる。少なくとも１つのメモリは、コンピュータが実行可能な指令のプログラムを記憶するために用いることができる。プログラムは高度及び／又は下位の互換可能な又は解釈可能な任意のプログラミング言語で記述することができる。実施形態によれば、コンピュータが実行可能な指令は、少なくとも１つのプロセッサと共に、装置２８００〜２９００に、図５〜図２７を参照して述べた方法に基づく操作を少なくとも実行させるように、構成され得る。
【０１５１】
図３０は、本明細書に記載の装置３０１０及び装置３０２０の簡略化されたブロック図を概略的に示す。装置３０１０は、例えばＵＥ等の端末デバイスとして実現されてよいし、又はその中に含まれていてよい。装置３０２０は、例えばｇＮＢ等のネットワークデバイスとして実現してよいし、又はその中に含まれていてよい。
【０１５２】
装置３０１０は、少なくとも１つのプロセッサ３０１１（例えばデータプロセッサ（ＤＰ））と、プロセッサ３０１１に結合される少なくとも１つのメモリ（ＭＥＭ）３０１２とを含む。装置３０１０はさらに、プロセッサ３０１１に結合される送信機ＴＸ及び受信機ＲＸ  ３０１３を含むことができ、それらは、装置３０２０に通信接続するように操作可能である。ＭＥＭ  ３０１２はプログラム（ＰＲＯＧ）３０１４を記憶する。ＰＲＯＧ  ３０１４は、関連するプロセッサ３０１１上で実行されると、本開示の実施形態に基づき装置３０１０に操作を行わせる指令を含むことができる。該操作は、例えば、方法５００、９００、１１００、１５００及び２０００である。少なくとも１つのプロセッサ３０１１及び少なくとも１つのＭＥＭ  ３０１２の組合せは、本開示の各実施形態の実現に適した処理装置３０１５を形成することができる。
【０１５３】
装置３０２０は、１つのプロセッサ３０２１（例えばＤＰ）と、プロセッサ３０２１に結合される少なくとも１つのＭＥＭ  ３０２２とを含む。装置３０２０はさらに、プロセッサ３０２１に結合される適切なＴＸ／ＲＸ  ３０２３を含むことができ、ＴＸ／ＲＸ  ３０２３は、装置３０１０と無線通信を行うように操作することができる。ＭＥＭ  ３０２２はＰＲＯＧ  ３０２４を記憶する。ＰＲＯＧ  ３０２４は、関連するプロセッサ３０２１上で実行されると、本開示の実施形態に基づき装置３０２０に操作を行わせる指令を含むことができる。該操作は、例えば、方法２４００、２５００、２６００及び２７００である。少なくとも１つのプロセッサ３０２１及び少なくとも１つのＭＥＭ  ３０２２の組合せは、本開示の各実施形態の実現に適した処理装置３０２５を形成することができる。
【０１５４】
本開示の各実施形態は、プロセッサ３０１１、３０２１、ソフトウェア、ファームウェア、ハードウェアのうちの１つ若しくは複数、又はその組合せにより実行可能なコンピュータプログラムにより実現することができる。
【０１５５】
メモリ３０１２及び３０２２は、ローカルの技術環境に適した任意のタイプであってよく、例として、任意の適切なデータ記憶技術により実現することができ、例えば、半導体による記憶装置、磁気記憶装置及びシステム、光学記憶装置及びシステム、固定メモリ及び移動可能メモリ等が挙げられるが、これらに限定されない。
【０１５６】
プロセッサ３０１１及び３０２１は、ローカルの技術環境に適した任意のタイプであってよく、例として、汎用コンピュータ、専用コンピュータ、マイクロプロセッサ、デジタル信号処理器ＤＳＰ、及びマルチコアプロセッサ構成に基づくプロセッサのうち、一つ又は複数を含むことができるが、これらに限定されない。
【０１５７】
また、本開示は、上述したようなコンピュータプログラムを含む担体を提供することができる。ここで、担体は電気信号、光信号、無線電気信号又はコンピュータ可読記憶媒体のうちの１つである。コンピュータ可読記憶媒体は例えば、ＲＡＭ（ランダムアクセスメモリ）、ＲＯＭ（リードオンリーメモリ）、フラッシュメモリ、テープ、ＣＤ−ＲＯＭ、ＤＶＤ、ブルーレイディスク等の光ディスク又は電子記憶装置であり得る。
【０１５８】
本明細書で説明した技術は、様々な手段で実現することで、実施形態で説明した対応する装置の１つ又は複数の機能を実現する装置が、先行技術の手段のみならず、実施形態で説明した対応する装置の１つ又は複数の機能を実現するための手段を含むようにすることができる。また、該装置は、単独の各機能のための単独装置を含むことができ、又は２つ若しくはより多くの機能を実行する装置として構成され得る。例えば、これらの技術は、ハードウェア（１つ若しくは複数の装置）、ファームウェア（１つ若しくは複数の装置）、ソフトウェア（１つ若しくは複数のモジュール）、又はそれらの組合せにより実現可能である。ファームウェア又はソフトウェアについては、本明細書で説明した機能のモジュール（例えば、プロセス、機能等）を実行することで実現可能である。
【０１５９】
以上、方法及び装置のブロック図及びフローチャートの図示を参照して、本明細書の例示的実施形態を説明した。ブロック図及びフローチャートの各ブロック並びにブロック図及びフローチャートの各ブロックの組合せは、それぞれ、コンピュータプログラムの指令を含む各装置によって実現可能である。これらのコンピュータプログラムの指令は、汎用コンピュータ、専用コンピュータ又は他のプログラミング可能なデータ処理装置上にロードされて、機器を生成することで、コンピュータ又は他のプログラミング可能なデータ処理装置上で実行される指令に、フローチャートのブロックで指定された機能を実現するための装置を作成させることができる。
【０１６０】
本明細書には複数の特定の実現の詳細が含まれるが、これらは、実現内容又は保護を請求する内容の範囲に対する何らかの制限であると解釈されるべきではなく、特定的に実現される特定の実施形態について特定される特徴に対する説明である、と解釈されるべきである。本明細書において、個々の実施形態の文脈において説明したいくつかの特徴は、ある一つの実現形態において組み合わせて実現されてもよい。逆に、一つの実現形態の文脈において説明された各種特徴は、それぞれ、複数の実現形態において、又は任意の適切な組み合せにより、実現されてもよい。また、以上の説明では、特徴について、いくつかの組合せによって作用するものとして説明しており、まず、そういうものとして保護を請求することができるが、いくつかの状況においては、保護を請求する組合せのうち１つ又は複数の特徴を組合せから削除することができ、保護を請求する組合せは、サブ的な組合せ又はサブ的な組合せの変形を含むことができる。
【０１６１】
当業者にとって明らかであるように、技術の進歩に伴い、本発明の構想は、さまざまな方法により実現可能である。上述の実施形態は説明用であり、本開示を制限するものではない。また、理解すべき点として、当業者が理解しやすいものであれば、本開示の精神及び範囲を逸脱しない状況において、修正及び変形を行うことができる。このような修正及び変更は、本開示に添付の請求項の範囲に含まれると考えられる。本開示の保護範囲は、添付の特許請求の範囲により限定される。
【図１】
2021531671.tif 000006
【図２】
2021531671.tif 000007
【図３】
2021531671.tif 000008
【図４】
2021531671.tif 000009
【図５】
2021531671.tif 000010
【図６】
2021531671.tif 000011
【図７Ａ】
2021531671.tif 000012
【図７Ｂ】
2021531671.tif 000013
【図８Ａ】
2021531671.tif 000014
【図８Ｂ】
2021531671.tif 000015
【図８Ｃ】
2021531671.tif 000016
【図９】
2021531671.tif 000017
【図１０】
2021531671.tif 000018
【図１１Ａ】
2021531671.tif 000019
【図１１Ｂ】
2021531671.tif 000020
【図１１Ｃ】
2021531671.tif 000021
【図１２】
2021531671.tif 000022
【図１３】
2021531671.tif 000023
【図１４Ａ】
2021531671.tif 000024
【図１４Ｂ】
2021531671.tif 000025
【図１５】
2021531671.tif 000026
【図１６】
2021531671.tif 000027
【図１７】
2021531671.tif 000028
【図１８Ａ】
2021531671.tif 000029
【図１８Ｂ】
2021531671.tif 000030
【図１９Ａ】
2021531671.tif 000031
【図１９Ｂ】
2021531671.tif 000032
【図２０】
2021531671.tif 000033
【図２１】
2021531671.tif 000034
【図２２】
2021531671.tif 000035
【図２３】
2021531671.tif 000036
【図２４】
2021531671.tif 000037
【図２５】
2021531671.tif 000038
【図２６】
2021531671.tif 000039
【図２７】
2021531671.tif 000040
【図２８】
2021531671.tif 000041
【図２９】
2021531671.tif 000042
【図３０】
2021531671.tif 000043
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
チャネル状態情報（ＣＳＩ：channel state information）レポートのインスタンスと、ＣＳＩレポートの前記インスタンスよりも優先度が高い他のＣＳＩレポートとの衝突に応じて、前記ＣＳＩレポートの前記インスタンスを廃棄することと、
前記ＣＳＩレポートの全ての後続のインスタンスを破棄すること、
前記ＣＳＩレポートのインスタンスのための、次の送信機会に、前記ＣＳＩレポートの前記インスタンスを再送し、新たなＣＳＩレポートまで、前記ＣＳＩレポートの後続のインスタンスを送信すること、
前記ＣＳＩレポートの後続のインスタンスの送信を継続すること、又は
前記ＣＳＩレポートの前記インスタンスのための送信機会に対する時間オフセットにより、前記ＣＳＩレポートの前記インスタンスを再送すること、
のうち、いずれかにより前記衝突を処理することと、を含む、
無線通信システムにおける複数のインスタンスによるＣＳＩレポーティングのための方法。
【請求項２】
帯域幅部分（ＢＷＰ：bandwidth part）切り替えの場合に、前記ＣＳＩレポートの第１インスタンスから、前記ＣＳＩレポートの送信を再開することをさらに含む、請求項１に記載の方法。
【請求項３】
複数のインスタンスによるＣＳＩレポーティングのアクティブ化又は非アクティブ化シグナリングを受信することをさらに含み、
前記アクティブ化又は非アクティブ化シグナリングは、前記ＣＳＩレポートの関連インスタンスに対して有効である、請求項１又は２に記載の方法。
【請求項４】
ＲＲＣシグナリングを介して、ＣＳＩレポートのインスタンス数の設定を受信することをさらに含み、
前記ＣＳＩレポートのインスタンス数の設定は、前記ＣＳＩレポートの関連インスタンスの数を示す、請求項３に記載の方法。
【請求項５】
ＲＲＣシグナリングを介して、前記ＣＳＩレポーティングの各インスタンスに対するリソース設定を受信すること、又は
前記ＣＳＩレポートのインスタンスに対し複数スロットのアップリンク送信を許可する下りリンク制御指示（ＤＣＩ：downlink control indication）を受信すること
のうち、いずれかをさらに含む、請求項１〜４のいずれか１項に記載の方法。
【請求項６】
前記ＣＳＩレポートのインスタンスに対するサブバンドセット設定を受信することをさらに含み、
前記サブバンドセット設定は、サブバンドセットのサイズ及び前記サブバンドセットに含まれるサブバンドのインデックスに関する情報を示す、請求項１〜５のいずれか１項に記載の方法。
【請求項７】
前記サブバンドセット設定、サブバンドビットマップ及び前記ＣＳＩレポートのインスタンス数に基づき、サブバンドセットを決定することをさらに含む、請求項６に記載の方法。
【請求項８】
チャネル状態に基づき、ＣＳＩレポートのインスタンスのために、少なくとも１つのサブバンド又はサブバンドセットを選択することと、
前記選択された少なくとも１つのサブバンド又はサブバンドセットに関するＣＳＩ情報を含む前記ＣＳＩレポートの前記インスタンスを送信することと、
をさらに含む、請求項１〜７のいずれか１項に記載の方法。
【請求項９】
２つのダウンリンクコードワードに対応する、ＣＳＩレポートの２つのインスタンスを送信することをさらに含み、
前記ＣＳＩレポートの前記２つのインスタンスの各々は、前記２つのダウンリンクコードワードのうちの対応する１つを送信するためのＣＳＩ部分を含む、請求項１〜８のいずれか１項に記載の方法。
【請求項１０】
前記２つのダウンリンクコードワードは、同一の送受信ポイント（ＴＲＰ：transmission / reception point）の異なるダウンリンクレイヤ、又は２つの異なるＴＲＰのうちのいずれかから受信される、請求項９に記載の方法。
【請求項１１】
チャネル状態情報（ＣＳＩ：channel state information）レポートのインスタンスが、前記ＣＳＩレポートの前記インスタンスより優先度が高い他のＣＳＩレポートと衝突する場合、
前記ＣＳＩレポートの前記インスタンス及び前記ＣＳＩレポートの全ての後続のインスタンスの両方を破棄すること、
前記ＣＳＩレポートのインスタンスの次の送信機会において、前記ＣＳＩレポートの前記インスタンスの再送を受信し、新たなＣＳＩレポートまで、前記ＣＳＩレポートの後続のインスタンスを受信すること、
前記ＣＳＩレポートの前記インスタンスを破棄し、前記ＣＳＩレポートの後続のインスタンスを受信すること、又は
前記ＣＳＩレポートの前記インスタンスのための送信機会に対する時間オフセットにより、前記ＣＳＩレポートの前記インスタンスの再送を受信すること、
のうち、いずれかにより、前記ＣＳＩレポートの受信を実行することを含む、
無線通信システムにおいて複数のインスタンスによるＣＳＩレポートを受信するための方法。
【請求項１２】
帯域幅部分（ＢＷＰ：bandwidth part）切り替えの場合に、前記ＣＳＩレポートの第１インスタンスから、前記ＣＳＩレポートの受信を再開することをさらに含む、請求項１１に記載の方法。
【請求項１３】
複数のインスタンスによるＣＳＩレポーティングに対するアクティブ化又は非アクティブ化シグナリングを送信することをさらに含み、
前記アクティブ化又は非アクティブ化シグナリングは、前記ＣＳＩレポートの関連インスタンスに対して有効である、請求項１１又は１２に記載の方法。
【請求項１４】
ＲＲＣシグナリングを介して、ＣＳＩレポートのインスタンス数の設定を送信することをさらに含み、
前記ＣＳＩレポートのインスタンス数の設定は、前記ＣＳＩレポートの関連インスタンスの数を示す、請求項１３に記載の方法。
【請求項１５】
ＲＲＣシグナリングを介して、前記ＣＳＩレポーティングの各インスタンスに対するリソース設定を送信すること、又は
前記ＣＳＩレポートのインスタンスに対して複数スロットのアップリンク送信を許可する下りリンク制御指示（ＤＣＩ：downlink control indication）を送信すること、
のうち、いずれかをさらに含む、請求項１１〜１４のいずれか１項に記載の方法。
【請求項１６】
前記ＣＳＩレポートのインスタンスに対するサブバンドセット設定を送信することをさらに含み、
前記サブバンドセット設定は、サブバンドセットのサイズ及び前記サブバンドセットに含まれるサブバンドのインデックスに関する情報を示す、請求項１１〜１５のいずれか１項に記載の方法。
【請求項１７】
チャネル状態に基づき選択されたサブバンド又はサブバンドセットに関するＣＳＩ情報を含むＣＳＩレポートのインスタンスを受信することをさらに含む、請求項１６に記載の方法。
【請求項１８】
２つのダウンリンクコードワードに対応する、ＣＳＩレポートの２つのインスタンスを受信することをさらに含み、
前記ＣＳＩレポートの前記２つのインスタンスの各々は、前記２つのダウンリンクコードワードのうちの対応する１つを送信するためのＣＳＩ部分を含む、請求項１１〜１７のいずれか１項に記載の方法。
【請求項１９】
前記２つのダウンリンクコードワードを、同一の送受信ポイント（ＴＲＰ：transmission / reception point）の異なるダウンリンクレイヤ、又は２つの異なるＴＲＰのうちのいずれかから送信することをさらに含む、請求項１８に記載の方法。
【国際調査報告】
2021531671.tif 000044
2021531671.tif 000045